(57)【要約】【課題】  ヘリコイド結合で規制される回転量を超えて回転させてレンズの移動位置の自由度を増やす。【解決手段】  中間筒１２を、固定筒の内部に収納する沈胴位置から、撮影で利用する回転域のうちの始端位置に回転することで、固定筒との間に設けたヘリコイド構造により固定筒に対して中間筒１２を繰り出すとともに、前記回転域のうちの始端位置から終端位置に向けて中間筒１２を回転するときに、固定筒と中間筒１２との間に設けた空転構造により、ヘリコイド構造のヘリコイド結合を解除し、始端位置と終端位置との間で中間筒１２を回転するときに、中間筒１２を光軸周りにのみ回転させて中間筒１２の内部に配したレンズ群１６，１７を移動させる。【選択図】        図５
2006220854.tif 000002
【特許請求の範囲】
【請求項１】
固定筒と、前記固定筒の内部でヘリコイド構造により連結される中間筒とを備え、前記中間筒の回転に連動して中間筒の内部に配した撮影レンズの一部のレンズ群を光軸方向に移動するレンズ移動装置において、
前記中間筒を、固定筒の内部に収納する沈胴位置から、撮影で利用する回転域のうちの始端位置に、回転することで、前記ヘリコイド構造により前記固定筒に対して中間筒を繰り出すとともに、
前記回転域のうちの始端位置から終端位置に向けて中間筒を回転するときに、前記固定筒と中間筒との間に設けた空転構造により、前記ヘリコイド構造のヘリコイド結合を解除し、前記始端位置と終端位置との間で中間筒を回転するときに、前記中間筒を光軸周りにのみ回転させて前記レンズ群を移動させることを特徴とするレンズ移動装置。
【請求項２】
前記ヘリコイド構造は、光軸周りの一カ所でのみヘリコイド結合し、
前記空転構造には、始端位置から沈胴位置に向けて中間筒を逆方向に回転したときに、ヘリコイド結合を解除する前の結合位置で再びヘリコイド結合させる誘い込み手段を備えていることを特徴とする請求項１記載のレンズ移動装置。
【請求項３】
前記ヘリコイド構造は、中間筒の外周に、光軸方向に沿う幅が一定で、かつ、前記光軸周りの全周にわたって設けられた雄ヘリコイドと、前記固定筒の内周に設けられ、前記雄ヘリコイドに係合する雌ヘリコイドとで構成され、
前記空転構造は、
前記雄ヘリコイドの前記幅内で、その雄ヘリコイドに交差するように前記光軸周りの全周にわたって形成された空転用溝部と、
固定筒の内周のうちの、前記雌ヘリコイドが雄ヘリコイドとの係合が解除される雌ヘリコイドの端部から前記雄ヘリコイドの前記幅分だけ光軸方向に離した位置で、かつ前記光軸周りの全周にわたって設けられており、前記雄ヘリコイドの幅のうちの繰り出し方向の先端側端部が当接することで前記中間筒の繰り出しを阻止するストッパ壁と、
前記ストッパ壁と前記雌ヘリコイドの端部との間の、前記雄ヘリコイドと雌ヘリコイドとの係合が解除される空転部に、前記雄ヘリコイドに係合するピッチに対応する位置で、かつ前記光軸周りに列をなして設けられており、前記雄ヘリコイド及び空転用溝部とに係合する複数の空転用ガイド突起と、で構成されていることを特徴とする請求項１又は２記載のレンズ移動装置。
【発明の詳細な説明】
【技術分野】
【０００１】
本発明は、固定筒に対してヘリコイド結合する中間筒を回転させながら繰り出すことで、中間筒の内部に配した撮影レンズの一部のレンズ群を光軸方向に進退させるレンズ移動装置に関する。
【背景技術】
【０００２】
従来、ズームレンズ装置では、固定筒に対してその内周に配した移動筒（中間筒に相当）を回転することで、これらの間に設けたヘリコイドにより移動筒を固定筒に対して光軸方向に移動して移動筒の内部に保持した前群レンズを繰り出すとともに、移動筒の内周に配した後群レンズ枠を、これらの間に設けたカムにより回転筒に対して光軸方向に移動してズーミングを行う構造のものが知られている（特許文献１）。
【０００３】
このタイプでは、前群レンズの繰り出しは、移動筒の回転量とヘリコイドのリードとで決まり、また後群レンズの繰り出しは、移動筒の回転量に応じたカムの変位で決まる。そして、移動筒の回転量は、移動筒に設けた雄ヘリコイドが、固定筒の内周に設けた雌ヘリコイドのうちの最初に係合する始端から係合が解除される終端までの間の雌ヘリコイドの長さで決まる。このため、ズーム倍率の高倍率化のために、前群レンズ及び後群レンズの繰り出しを増やすときには、雌ヘリコイドの長さを増やし、移動筒の回転量を増やす必要がある。しかし、ヘリコイドの長さを延長することで、逆に固定筒の光軸方向の長さを長く、又は固定筒の径を大きくする必要があり、このためズームレンズ装置のコンパクト化を阻害していた。
【０００４】
そこで、外筒に設けた雌ヘリコイドの螺旋状の一部に、幅員を広げた拡幅部を形成し、拡幅部の螺旋状に沿った長さを、内筒に設けた雄ヘリコイドの螺旋に沿った長さとほぼ等しくして、雄ヘリコイドが拡幅部に係合したときに、ヘリコイドのリードよりも光軸方向への移動量が大きい拡幅部のリードにより内筒を移動するようにしたものが知られている（特許文献２）。
【０００５】
また、内筒と外筒との間で、ヘリコイド結合とは別に突起部と溝とを係合させて、ヘリコイドが係合する回転域では、突起部と溝とがヘリコイドのリードに平行に係合し、ヘリコイドの一部に設けた解除域では、雄ヘリコイドと雌ヘリコイドとの係合が解除されるため、代わりに、突起部と溝との係合によりヘリコイドのリードとは異なる方向に内筒を誘導するように構成したものが知られている（特許文献３及び特許文献４）。
【０００６】
【特許文献１】特開平１０−２６７２１号公報
【特許文献２】特開平１０−３１１５０号公報
【特許文献３】特開２００２−４８９６４号公報
【特許文献４】特開２００２−２７７７０７号公報
【発明の開示】
【発明が解決しようとする課題】
【０００７】
特許文献２に記載の発明では、拡幅部を雌ヘリコイドの螺旋の方向と直行する方向に広げて形成しているため、内筒の回転域のうちのヘリコイドのリードで案内する域と、このリードとは異なる第２のリードで案内する域との２種類の回転域があるので、内筒の光軸方向への移動を僅かに長くすることができるのに対し、内筒の光軸方向への移動をより長く取るように拡幅部を形成すると、拡幅部が光軸方向に張り出す形態となり、よって、雌ヘリコイドを設けた外筒も光軸方向の長さを長くする必要がある。また、拡幅部を雌ヘリコイドの長さのうちの中間部に設ける場合、隣合うヘリコイド谷部に重ならない範囲でしか幅員を拡張することができない。このため、この間、小さな移動量でしか移動することができない。さらに、この発明では、内筒の回転域全てをヘリコイド結合したものと比べて、内筒の光軸方向の移動量を増やすことはできても、内筒の回転量を増やすことができない。よって内筒の内周にカムを設け、そのカムで後群レンズを光軸方向に移動させる構造の場合、内筒の回転量が増えないため、内筒に対する後群レンズの移動量を増やすことができない。
【０００８】
また、特許文献３及び４に記載の発明では、内筒と外筒との間に設けたヘリコイド結合の結合開始の始端に、ヘリコイド結合が解除される回転域（空転部）を設け、この領域で別の突起と溝との係合によりヘリコイドのリードとは異なる方向、実施形態では光軸周りの方向のみに内筒を回転させ、空転部では光軸方向に相対移動しないように構成している。このタイプでは、内筒の回転域を、全域ヘリコイド結合した従来の構成と比べて、長くすることができる。しかしながら、突起と溝との係合は、ヘリコイド結合が解除されているため、光軸周りの周方向のうちの３位置で行う必要がある。このため、内筒の最大回転域としては、ヘリコイド結合の回転域に加えて、１／３周分の回転域までしかとれない。しかも、内筒に、例えば後群レンズ用などのカムも作るとなると、カムに交差しないように溝を作るため、溝の長さが規制されてしまい、内筒の回転量を長く取ることができない。
【課題を解決するための手段】
【０００９】
本発明では、上記事情に鑑み、鏡筒の光軸方向の長さを長く、又は径を大きくしないで、鏡筒の回転量を多くすることで、例えば内部に配したレンズ群の光軸方向への移動に自由度を増やすことできるように工夫したレンズ移動装置を提供することを目的とする。
【００１０】
上記目的を達成するために、本発明では、中間筒を固定筒の内部に収納する沈胴位置から、撮影で利用する回転域のうちの始端位置に回転することで、前記ヘリコイド構造により前記固定筒に対して中間筒を繰り出すとともに、前記回転域のうちの始端位置から終端位置に向けて中間筒を回転するときに、前記固定筒と中間筒との間に設けた空転構造により、前記ヘリコイド構造のヘリコイド結合を解除し、前記始端位置と終端位置との間で中間筒を回転するときに、前記中間筒を光軸周りにのみ回転させて中間筒の内部に配したレンズ群を移動させるようにしたものである。
【００１１】
中間筒としては、ヘリコイド構造によって固定筒に対して回転しながら光軸方向に移動する筒であればよい。レンズ群の移動構造としては、例えば中間筒とその内に配されるレンズ保持枠との間にカム構造を設け、中間筒の回転によりレンズ保持枠を進退させる構造としてもよいし、また、例えば中間筒とその内に配されるレンズ保持枠との間に第２のヘリコイド構造を設け、中間筒の回転によりレンズ保持枠を進退させる構造としてもよい。
【００１２】
ヘリコイド構造は、雄・雌ヘリコイドで構成されている。雄・雌ヘリコイドは、多条で形成されており、ピッチ及び山谷形状の大きさを同じにすると、光軸周りの複数の箇所でヘリコイド結合する位置が存在する。これでは、ヘリコイド結合の位置が変わることで、中間筒の回転量に対する中間筒の進退量が異なってしまい、沈胴位置に戻らないおそれがある。そこで、多条で形成された雄・雌ヘリコイドのピッチ又は山谷形状の大きさを異ならせて、光軸周りの一カ所でのみヘリコイド結合する形態とし、始端位置から沈胴位置に向けて中間筒を回転したときに、ヘリコイド結合を解除する前の結合位置で再びヘリコイド結合させる誘い込み手段を空転構造に備えるのが望ましい。
【００１３】
また、中間筒の外周に設ける雄ヘリコイドを、光軸方向に沿う幅が一定で、かつ、前記光軸周りの全周にわたって設け、前記雄ヘリコイドに係合する雌ヘリコイドを前記固定筒の内周に設ける。
【００１４】
そして、空転構造としては、前記雄ヘリコイドの幅内で、その雄ヘリコイドに交差するように前記光軸周りの全周にわたって形成された空転用溝部と；固定筒の内周のうちの、前記雌ヘリコイドが雄ヘリコイドとの係合が解除される雌ヘリコイドの端部から前記雄ヘリコイドの前記幅分だけ光軸方向に離した位置で、かつ前記光軸周りの全周にわたって設けられており、前記雄ヘリコイドの幅のうちの繰り出し方向の先端側端部が当接することで前記中間筒の繰り出しを阻止するストッパ壁と；前記ストッパ壁と前記雌ヘリコイドの端部との間の、前記雄ヘリコイドと雌ヘリコイドとの係合が解除される空転部に、前記雄ヘリコイドに係合するピッチに対応する位置で、かつ前記光軸周りに列をなして設けられており、前記雄ヘリコイド及び空転用溝部とに係合する複数の空転用ガイド突起と；で構成するのが好適である。
【発明の効果】
【００１５】
本発明によれば、固定筒と中間筒との間にヘリコイド構造と空転構造とを設け、沈胴位置と撮影で利用する回転域の始端位置との間では中間筒を回転させることでヘリコイド構造のリードに従って進退させ、また、始端位置と終端位置との間では中間筒を光軸周りにのみ回転させるため、ヘリコイド構造による規制される回転量を越えて中間筒を回転させることができ、径や光軸方向の長さに係わらず、例えば内部に配したレンズ群の移動量を大きくとることができる。
【発明を実施するための最良の形態】
【００１６】
本発明の移動装置を用いた一例であるズームレンズ装置１０は、図１に示すように、固定筒１１、中間筒１２、移動筒１３、後群レンズ筒１４、及び、直進ガイド筒１５とから構成されている。移動筒１３には、前群レンズ１６が保持されており、また、後群レンズ筒１４には後群レンズ１７とその背後に配したシャッタ機構（図２〜図３参照）１８とがそれぞれ保持されている。
【００１７】
固定筒１１には、外周に長尺ギヤ１９が設けられている。長尺ギヤ１９は、光軸方向に長くなっており、開口１９ａから内部に入り込んで中間筒１２の外周の一部に形成したギヤ部２０に噛合する。ギヤ部２０は、中間筒１２の外周のうちの後端寄りに所定幅で突出して形成されている。このギヤ部２０には、固定筒１１の内周に設けた雌ヘリコイド２１に係合する雄ヘリコイド２２が形成されており、中間筒１２は、回転することで固定筒１１に対して雄・雌ヘリコイド２１，２２のリードに従って進退する。
【００１８】
中間筒１２の内面には、第１及び第２カム２３，２４が光軸周りの周方向の３位置にそれぞれ形成されている。各第１カム２３には、移動筒１３の外周に設けた３個の第１カムフォロワー２５が係合し、また、第２カム２４には、後群レンズ筒１４の外周に設けた３個の第２カムフォロワー２６が係合する。
【００１９】
直進ガイド筒１５は、後端のリング部２７が中間筒１２の後端に回転自在に保持され、中間筒１２と一緒に進退する。リング部２７には、外周に複数の突起２９が設けられ、複数の突起２９は、固定筒１１の内部に設けた複数の直進ガイド溝３０に係合する。直進ガイド溝３０は、光軸方向に長くなっており、中間筒１２の進退に係わらず直進ガイド筒１５の回転止めをする。
【００２０】
直進ガイド筒１５には、リング部２７に前に筒部３１が設けられている。筒部３１には、光軸方向に長い突条部３２が周方向の３位置にそれぞれ形成されている。各突条部３２は、移動筒１３の内周に設けた３個のガイド溝３３にそれぞれ係合して、移動筒１３の回転止めを行う。また、後群レンズ筒１４に設けた各第２カムフォロワー２５は、台座部３４の上にそれぞれ形成されている。各台座部３４は、光軸周りの方向に所定の幅をもって形成されており、移動筒１３に設けた３個の直進ガイド開口３５に係合する。これら３個の直進ガイド開口３５は、各々光軸方向に長く形成されており、各台座部３４が係合することで後群レンズ筒１４の回転止めを行う。
【００２１】
このズームレンズ装置は、例えば、写真用カメラに組み込まれ、カメラの電源をＯＦＦすることで、図２に示すように、中間筒１２、移動筒１３、及び後群レンズ筒１４を固定筒１１の内部に収納する沈胴状態となる。カメラの電源をＯＮすると、フォーカス兼用のズームモータ３６が駆動して、この駆動が長尺ギヤ１９に入力されることで中間筒１２が繰り出し方向に回転される。中間筒１２は、回転すると、雄・雌ヘリコイド２１，２２のリードに従って繰り出される。そして、この間の中間筒１２の回転に対する第１及び第２カム２３，２４の光軸方向への変位により移動筒１３、及び後群レンズ筒１４とが中間筒１２に対して各々進退し、前群及び後群レンズ１６，１７がそれぞれ移動されて、図３に示すように、ワイド端の状態となる。そして、その後に行われるズームボタンの操作に応答して中間筒１２が回動され、ワイド端と図４に示すテレ端との間の変倍位置で、前群及び後群レンズ１６，１７が、互いの間隔が異なるように移動して変倍が行われる。
【００２２】
このズームレンズ装置１０は、ステップズームと呼ばれるタイプである。第１カム２３は、図５に示すように、前群レンズ１６を各変倍位置に案内する変倍用カム面２３ａの軌跡上に、前群レンズ１６を合焦位置に案内するフォーカス用カム面２３ｂを交互に設けた形態となっており、また、第２カム２４も、後群レンズ１７を各変倍位置に案内する変倍用カム面２４ａの軌跡上に、後群レンズ１７を合焦位置に案内するフォーカス用カム面２４ｂを交互に設けた形態となっている。なお、図５に記載した第１及び第２カムフォロワー２５，２６の中に「沈、１，２，３，４」文字を記載している。「沈」が記載の第１及び第２カムフォロワー２５，２６は、沈胴位置のときに位置する。また、「１，２，３，４」は順番にワイド端、変倍位置１，変倍位置２、及びテレ端の変倍位置を意味し、それら文字が記載の第１及び第２カムフォロワー２５，２６はその文字に対応する各変倍位置のときの位置である。
【００２３】
図６に示すように、中間筒１２が回転すると、前群レンズ１６は、雄・雌ヘリコイド２１，２２の変位（リード）と第１カム２３の変位とを合成した変位により光軸方向に進退し、また、後群レンズ１７は、雄・雌ヘリコイド２１，２２の変位と第２カム２４の変位とを合成した変位により光軸方向に進退する。そして、中間筒１２は、ズームレンズ装置１０を沈胴状態にする回転位置である沈胴位置と、テレ端の変倍位置にする回転位置であるテレ位置との回転区間で回転する。中間筒の全回転域は、雄・雌ヘリコイド２１，２２のリードに従って光軸方向に移動する進退領域と、光軸方向に進退しない空転領域とから構成されている。この空転領域が撮影で利用する回転域となっている。進退領域は、沈胴位置と、回転域のうちの始端位置（ワイド端で合焦時に使用するワイド端用フォーカスエリアのうちの始端位置）との間の回転区間となっており、また、空転領域は、始端位置とテレ位置（終端位置）との間の回転区間となっている。なお、本実施例では、空転領域が、全回転域の略８３％にもなっている。
【００２４】
中間筒１２の雄ヘリコイド２２は、図７に示すように、光軸方向に所定の幅を持って光軸周りの全周に突出して形成されており、谷部４０、山部４１、及び空転用溝部４２とで構成されている。山部４１は、予め決めたリード角に沿って形成されており、中間筒１２の回転量に対する光軸方向の移動量を大きくするために多条で形成されている。多条の山部４１は、軸方向に垂直な断面における相互間隔（ピッチ）が少なくとも一部で異なり、また、多条のうちの少なくとも一本が回転軸方向に垂直な断面における厚みが他のヘリコイド条と異なる構成となっている。谷部４０は、多条の山部４１との間に形成されることになる。そして、多条の山部４１のうちの何れかの山部４１ａ，４１ｂに、光軸方向の被写体側に突出する前突部４３と、結像面側に突出する後突部４４とが各々設けられている。前・後突部４３，４４は、互いが光軸周りの方向にずらして各々設けられている。空転用溝部４２は、雄ヘリコイド２２の幅内で、光軸に直交する方向に沿ってかつ全周に、一定の幅で形成されており、山部４１及び谷部４０に交差している。
【００２５】
他方、雄ヘリコイド２２に係合する雌ヘリコイド２１は、図８に示すように、雄ヘリコイド２２の各山部４１が係合する複数の谷部５０、雄ヘリコイド２２の各谷部４０が係合する複数の山部５１、空転部５２、空転用ガイド突起５３、ストッパ壁５４、誘い込み用前突起５５、及び、誘い込み用後突起５６で構成されている。山部５１及び谷部５０は、中間筒１２が沈胴位置から始端位置に至る直前までの回転区間で、雄ヘリコイド２２の山部４１及び谷部４０が係合する長さとなっている。
【００２６】
空転部５２は、山部５１のうちの光軸前方の端部５１ａと、ストッパ壁５４との間のスペースとなっており、中間筒１２が始端位置に回転したときに、雄ヘリコイド２２との係合が解除される領域である。ストッパ壁５４は、前記山部５１の端部５１ａから雄ヘリコイド２２の幅（前・後突部４３，４４を含めた幅）分だけ光軸方向に離した位置に設けられており、中間筒１２が始端位置に回転したときに、雄ヘリコイド２２の前突部４３が当接して中間筒１２がそれ以上光軸前方に移動するのを阻止する。
【００２７】
空転用ガイド突起５３は、空転部５２のうちの、山部５１に沿う線（雌ヘリコイド２１のリード角に沿う線）と、光軸に直交する線とが交差する位置に列をなして複数形成されており、雄ヘリコイド２２の谷部４０、及び空転用溝部４２にそれぞれ係合する大きさになっている。中間筒１２が始端位置に到達する直前では、これら空転用ガイド突起５３の列に雄ヘリコイド２２の谷部４０が入り込んで雄ヘリコイド２２が空転部５２に入り込むのをガイドし、また、中間筒１２が始端位置に回転したときには、谷部４０と空転用溝部４２との交差部に位置して空転用溝部４２への入り込みをガイドする。そして、中間筒１２が始端位置からさらに繰り出し方向に回転すると、空転用溝部４２に空転用ガイド突起５３が入り込み、空転用溝部４２と空転用ガイド突起５３の列との係合により、中間筒１２が光軸方向に進退せずに光軸周りの方向のみに回転する。
【００２８】
誘い込み用前突起５５は、ストッパ壁５４から空転部５２に向けて一段突出して形成されており、また、誘い込み用後突起５６は、雌ヘリコイド２１の山部５１のうちの何れか１つに、空転部５２に向けて一段突出して形成されている。誘い込み用前・後突起５５，５６は、中間筒１２が始端位置に回転したときに、中間筒１２の繰り出し方向に沿った端部５５ａ，５６ａが、前・後突部４３，４４に、中間筒１２の繰り込み方向（繰り出し方向とは逆の方向）からそれぞれ当接し、互いの当接面が雄・雌ヘリコイド２１，２２のリード角に沿う斜面となっているため、その後に中間筒１２が繰り込み方向に回転することにより、再び雌ヘリコイド２１に係合するように雄ヘリコイド２２を誘い込む。
【００２９】
また、誘い込み用後突起５６は、中間筒１２がテレ位置に回転したときに、中間筒１２の繰り込み方向に向けた端部５６ｂが後突起４４に、中間筒１２の繰り出し方向から当接し、それ以上中間筒１２が繰り出し方向に回転しないように阻止する。なお、雄ヘリコイド２２と雌ヘリコイド２１とは、山部４１，５１と谷部４０，５０とのピッチや幅が異なっているため、固定筒１１と中間筒１２とは光軸周りの回転位置のうちの一カ所でしかヘリコイド結合が行われないようになっている。
【００３０】
次に上記構成の作用を説明する。ズームレンズ装置１０の初期状態は、中間筒１２が沈胴位置の回転位置の状態となっており、この状態では、図２に示すように、固定筒１１の内部に、中間筒１２、移動筒１３、後群レンズ筒１４、及び直進ガイド筒１５とが各々収納されている。このとき、直進ガイド筒１５は、移動筒１３、及び後群レンズ筒１４との回転止めを行っている。また、中間筒１２の雄ヘリコイド２２は、図９に示すように、固定筒１１の雌ヘリコイド２１に対して光軸方向の結像面寄りで係合している。
【００３１】
カメラの電源をＯＮすると、中間筒１２が繰り出し方向に回転しながら、雄・雌ヘリコイド２１，２２のリードに従って光軸方向の前方に移動していく。このとき、直進ガイド筒１５が中間筒１２と一緒に繰り出し、また移動筒１３及び後群レンズ筒１４を一緒に移動させながら、これらの回転止めを継続してゆく。そして、この間の中間筒１２の回転に対する第１及び第２カム２３，２４の光軸方向への変位により移動筒１３、及び後群レンズ筒１４とが中間筒１２に対して各々進退する。
【００３２】
中間筒１２が始端位置に回転すると、中間筒１２の雄ヘリコイド２２は、図１０に示すように、固定筒１１の雌ヘリコイド２１から脱し、空転部５２に入り込む。このとき、各空転用ガイド突起５３が空転用溝部４２と谷部４０との交差部にそれぞれ位置した状態となる。さらに中間筒１２が繰り出し方向に回転することで、前突部４３がストッパ壁５４に当接してそれ以上の光軸前方への移動が阻止されるため、空転用溝部４２が空転用ガイド突起５３に入り込む方向に中間筒１２が回転し、中間筒１２が空転する。
【００３３】
そして、中間筒１２が始端位置から繰り出し方向に僅かに回転したときに、中間筒１２の回転位置がワイド位置になり、ワイド位置に到達したときにフォーカス兼用のズームモータ３６の駆動が停止される。このとき、ズームレンズ装置１０は、図３に示すようにワイド端の変倍位置となる。
【００３４】
ズームボタンをテレ端方向に操作すると、フォーカス兼用のズームモータ３６が駆動され、中間筒１２が繰り出し方向に回転して、図６に示すように、中間筒１２が変倍位置１，変倍位置２を通過してテレ位置に向けて回転する。中間筒１２がテレ位置に回転すると、フォーカス兼用のズームモータ３６の駆動が停止し、ズームレンズ装置１０は図４に示すテレ端の変倍位置となる。
【００３５】
中間筒１２がテレ位置に回転したときには、図１１に示すように、誘い込み用後突起５６のうちの中間筒１２の繰り込み方向に沿う端部５６ｂが後突部４４に、中間筒１２の繰り出し方向から当接し、それ以上の中間筒１２の繰り出し方向への回転を阻止する。
【００３６】
変倍は、ズームボタンをワイド端方向又はテレ端方向に操作することで、中間筒１２がワイド位置、変倍位置１，変倍位置２，及びテレ位置との何れかの位置にステップ式に回転していく。
【００３７】
シャッタボタンの半押し操作に応答して測距が行われ、測距から得られる被写体距離の情報に応じてフォーカス兼用のズームモータ３６が逆転駆動される。これにより、中間筒１２は、ワイド位置、変倍位置１，変倍位置２，及びテレ位置との何れかの変倍位置から繰り込み方向に回転する。そして、その時点の変倍位置と被写体距離とに応じた合焦位置に中間筒１２が回転したときにモータ３６の逆転駆動が停止される。このままシャッタレリーズが行われると、プログラムシャッタであるシャッタ機構１８が駆動して露光が行われる。そして、中間筒１２は、半押し操作を止めたとき又は撮像完了後にモータ３６の駆動によりその時点の変倍位置まで戻される。
【００３８】
このように、撮影で使用する回転域では、図１２に示すように、空転用ガイド突起５３の列が空転用溝部４２に入り込んで中間筒１２の光軸周りの方向への回転をガイドしている。この中間筒１２の空転領域が全回転域の略８３％を越えるものとなっているため、第１及び第２カム２３，２４の設計に自由度が増し、前群及び後群レンズ１６，１７の移動にも自由度が増すことになる。また、第１及び第２カム２３，２４の変位も緩やかに作れ、カムフォロワー２５，２６をスムーズに移動することができる。
【００３９】
カメラの電源をＯＦＦすると、モータ３６が逆転駆動され、中間筒１２が変倍位置から繰り込み方向の始端位置に向けて回転する。始端位置に向けて回転すると、図１０に示すように、誘い込み用前突起５５の端部５５ａと前突部４３とが、また、誘い込み用後突起５６の端部５６ａと後突部４４とが、それぞれ中間筒１２の繰り込み方向から当接する。これら端部５５ａ，５６ａと前・後突部４３，４４との当接面が、雌ヘリコイド２１のリード角に沿う斜面となっているため、この位置からさらに繰り込み方向に回転すると、雄ヘリコイド２２が雌ヘリコイド２１に再び係合する方向に向けて中間筒１２がガイドされる。そして、繰り込み方向への回転が継続されることで、雄・雌ヘリコイド２１のリードに従って中間筒１２が回転しながら繰り込まれる。その後、中間筒１２が沈胴位置に回転することでフォーカス兼用のズームモータ３６の逆転駆動が停止される。このとき、図９に示すように、雄ヘリコイド２２は、雌ヘリコイド２１のうちの結像面寄りで係合しており、ズームレンズ装置１０が図２に示す沈胴状態となる。
【００４０】
上記実施形態では、フイルムカメラに適用した例で説明したが、これに限定されるものではなく、ビデオカメラや電子カメラにも適用することができる。
【００４１】
また、上記実施例では、２群のズームレンズとして説明しているが、少なくとも２つのレンズ群を移動させるズームレンズにも採用することができる。また、ズームレンズに限らず、フォーカスのために移動するレンズ移動装置にも適用することができる。
【図面の簡単な説明】
【００４２】
【図１】本発明を用いたズームレンズ装置の概略を示す分解斜視図である。
【図２】ズームレンズ装置の沈胴状態を示す断面図である。
【図３】ズームレンズ装置のワイド端の状態を示す断面図である。
【図４】ズームレンズ装置のテレ端の状態を示す断面図である。
【図５】第１カム、及び第２カムを示す中間筒の内面の展開図である。
【図６】中間筒の回転位置に対する前群レンズ、後群レンズ、及び、中間筒の光軸方向への移動量を示すグラフである
【図７】雄ヘリコイドを示す中間筒の外周の展開図である。
【図８】雌ヘリコイドを示す固定筒の内面の展開図である。
【図９】中間筒が沈胴位置のときに、雄ヘリコイドと雌ヘリコイドとの係合状態を示す展開図である。
【図１０】中間筒が始端位置のときに、雄ヘリコイドが空転領域に入り込む状態を示す展開図である。
【図１１】中間筒がテレ位置のときに、雄ヘリコイドが後突起が誘い込み用後突起に当接して、中間筒がそれ以上繰り出し方向に回転しないように阻止している状態を示す展開図である。
【図１２】中間筒が空転中の状態、すなわち、空転用溝部が空転用ガイド突起により光軸周りの方向にガイドされている状態を示す展開図である。
【符号の説明】
【００４３】
１１  固定筒
１２  中間筒
１３  移動筒
１４  後群レンズ筒
２１  雌ヘリコイド
２２  雄ヘリコイド
４２  空転用溝部
４３  前突部
４４  後突部
５２  空転部
５４  ストッパ壁
５５  誘い込み用前突起
５６  誘い込み用後突起
【図１】
2006220854.tif 000003
【図２】
2006220854.tif 000004
【図３】
2006220854.tif 000005
【図４】
2006220854.tif 000006
【図５】
2006220854.tif 000007
【図６】
2006220854.tif 000008
【図７】
2006220854.tif 000009
【図８】
2006220854.tif 000010
【図９】
2006220854.tif 000011
【図１０】
2006220854.tif 000012
【図１１】
2006220854.tif 000013
【図１２】
2006220854.tif 000014